(57)【要約】【課題】特殊な素材を用いず、容易に且つ確実に表示部分を品物に対し起立させて見やすい状態で安定して維持できる。【解決手段】時計バンド２に巻き付けられる巻付部３と、この巻付部３に対しほぼ垂直に折り曲げられた表示部４とを一体に形成した表示札１であって、表示部４に、巻付部３側が自由端８ａで且つその反対側が連結端８ｂとなる舌片８を切り込みによって形成し、この舌片８を連結端８ｂにおいて巻付部３から離れる方向に折り曲げて自由端８ａを時計バンド２に当接させるようにした。従って、表示部４を時計バンド２に対し折り曲げて起立させても、舌片８で表示部４が元の平坦な状態に復帰しないように規制できる。このため、簡単に且つ確実に表示部４を時計バンド２に対し起立させて見やすい状態で安定して維持できる。また、特殊な材料を用いず、紙材５などの安価な素材で容易に作成でき、廃棄時の分別も簡単で資源の再利用が容易にできる。【選択図】        図１
2005017671.tif 000002
【特許請求の範囲】
【請求項１】
品物に巻き付けられる巻付部と、この巻付部に対しほぼ垂直に折り曲げられた表示部とを紙材によって一体に形成した表示札であって、
前記表示部には、前記巻付部側が自由端で且つその反対側が連結端となる舌片が切り込みによって形成され、この舌片が前記連結端において前記巻付部から離れる方向に折り曲げられて前記自由端が前記品物に当接することを特徴とする表示札。
【請求項２】
前記表示部における前記舌片を含む領域には、少なくとも前記舌片を前記巻付部の長手方向に沿って湾曲させる湾曲部が形成されていることを特徴とする請求項１に記載の表示札。
【請求項３】
前記表示部は、２枚の紙材を貼り合わせると共に、これら２枚の紙材のうちの裏面側の紙材のみに前記舌片を切り込みによって折り曲げ可能に形成した構成であることを特徴とする請求項１に記載の表示札。
【請求項４】
前記表示部は、紙材と透明なシート材とからなり、この透明なシート材の縁部を前記紙材の前面側に一部を除いて貼り付けることによって形成されたポケット部と、前記紙材のみに切り込みによって折り曲げ可能に形成された前記舌片とを備えたことを特徴とする請求項１に記載の表示札。
【発明の詳細な説明】
【０００１】
【発明の属する技術分野】
この発明は、値札や商品札などの表示札に関する。
【０００２】
【従来の技術】
従来、腕時計のブランド名、価格、品番号等を表示する目的で、腕時計のバンドに表示札を取り付けている（例えば、特許文献１、図３、図４参照。）。
【０００３】
【特許文献１】
実開昭６１−９４８７９号公報
【０００４】
【発明が解決しようとする課題】
この特許文献１の表示札では、平坦であるため、表示札に記載されたブランド名、価格、品番号等が見にくい。そこで、お客が見やすいように表示札を折り曲げることが考えられる。
しかしながら、このような表示札を、紙などのシート材で製作した場合、元の平坦な状態に復帰する性質があり、このため常にシート材を所定角度に折り曲げた状態で維持することができないという問題がある。
【０００５】
そこで、このような問題を解消するために、表示札の素材として、紙などのシート材に代えて、アルミニウムの薄板を用い、このアルミニウムなどの薄板に商品名や価格などの情報を印刷したシール紙を貼り付け、この状態でシール紙の表示部分が見やすくなるように、アルミニウムの薄板を所定角度に折り曲げることにより、常に薄板が所定角度に折れ曲がった状態を維持するようにしたものも考えられている。しかし、このようなアルミニウムの薄板を用いた表示札では、材料費が高く、コスト高になるばかりか、廃棄時にアルミニウムの薄板とシール紙とを分別しなければならないため、廃棄が面倒であるという問題が生じる。
【０００６】
この発明の課題は、特殊な素材を用いず、容易に且つ確実に表示部分を品物に対し起立させて見やすい状態で安定して維持できるようにすることである。
【０００７】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図５に示すように、品物（時計バンド２）に巻き付けられる巻付部（３）と、この巻付部に対しほぼ垂直に折り曲げられた表示部（４）とを一体に形成した表示札であって、前記表示部には、前記巻付部側が自由端（８ａ）で且つその反対側が連結端（８ｂ）となる舌片（８）が切り込みによって形成され、この舌片が前記連結端において前記巻付部から離れる方向に折り曲げられて前記自由端が前記品物に当接することを特徴とする表示札（１）である。
【０００８】
この発明によれば、巻付部を品物に巻き付けて取り付けると共に、表示部を巻付部に対し折り曲げてほぼ垂直に起立させ、この状態で表示部に切り込みによって形成された舌片をその連結端において巻付部から離れる方向に折り曲げ、この折り曲げられた舌片の自由端を品物に当接させるので、表示部を品物に対し折り曲げてほぼ垂直に起立させても、舌片によって表示部が元の平坦な状態に戻らないように規制することができ、このため簡単に且つ確実に表示部を品物に対し起立させて見やすい状態で安定して維持することができるほか、素材としてアルミニウムなどの特殊な材料を用いる必要がなく、紙などの安価な素材で容易に作成することができると共に、廃棄時の分別が簡単で資源の再利用が容易にできる。
【０００９】
請求項２に記載の発明は、図６〜図９に示すように、前記表示部（４）における前記舌片（８）を含む領域に、少なくとも前記舌片を前記巻付部（３）の長手方向に沿って湾曲させる湾曲部（１１）が形成されていることを特徴とする請求項１に記載の表示札（１０）である。
この発明によれば、請求項１に記載の発明と同様、巻付部を品物に巻き付けて取り付けた状態で、表示部を品物に対し起立させて、舌片を巻付部から離れる方向に折り曲げ、この折り曲げられた舌片の自由端を品物に当接させた際に、少なくとも舌片が湾曲部によって巻付部の長手方向に沿って湾曲されているので、この湾曲した舌片が上下方向に折れ曲がりにくくなり、このため請求項１に記載の発明のものよりも、より一層、安定した状態で表示部を確実に起立させて維持することができる。
【００１０】
請求項３に記載の発明は、図１０〜図１５に示すように、前記表示部（１８）が、２枚の紙材（５、１６）を貼り合わせると共に、これら２枚の紙材のうちの裏面側の紙材（１６）のみに前記舌片（８）を切り込みによって折り曲げ可能に形成した構成であることを特徴とする請求項１に記載の表示札（１５）である。
この発明によれば、請求項１に記載の発明と同様の作用効果があるほか、特に２枚の紙材のうち、裏面側の紙材のみに舌片を切り込みによって形成したので、表面側の紙材によって舌片およびその切り込みが前面側から見えないように隠すことができ、これによりデザイン的に好ましいものを得ることができると共に、表面側の紙材の表面全域を表示領域として使用することができるので、請求項１に記載の発明のものよりも、表示領域を広くすることができ、より多くの情報を表示することができる。
【００１１】
請求項４に記載の発明は、図１６〜図２０に示すように、前記表示部（２３）が、紙材（５）と透明なシート材（２１）とからなり、この透明なシート材の縁部を前記紙材の前面側に一部を除いて貼り付けることによって形成されたポケット部（２４）と、前記紙材のみに切り込みによって折り曲げ可能に形成された前記舌片（８）とを備えたことを特徴とする請求項１に記載の表示札（２０）である。
この発明によれば、請求項１に記載の発明と同様の作用効果があるほか、特に透明なシート材の縁部を紙材の前面側に一部を除いて貼り付けることにより、表示部にポケット部を形成したので、このポケット部に価格表などの表示カード（２４）を挿脱自在に差し込むことができ、これにより表示カードを簡単に交換することできるので、価格や商品名などの情報の変更が容易にでき、より一層、使い勝手の良いものを得ることができる。
【００１２】
【発明の実施の形態】
［第１実施形態］
以下、図１〜図５を参照して、この発明の表示札の第１実施形態について説明する。
図１はこの発明の表示札の使用状態を示した斜視図、図２はその側面図、図３はその表示札の展開図である。この表示札１は、品物である時計バンド２に巻き付けられる巻付部３と、この巻付部３に対しほぼ垂直に折り曲げられる表示部４とを、紙材５で一体に形成した構成になっている。この場合、巻付部３は、図３に示すように、時計バンド２の幅方向における外周の長さよりも少し長い帯状に形成され、その一端部に接着部６が設けられ、図４および図５に示すように、時計バンド２に巻き付けられて一端部の接着部６が他端部に接着することにより、時計バンド２に取り付けられるように構成されている。
【００１３】
また、表示部４は、図３および図４に示すように、時計バンド２の幅とほぼ同じ幅のほぼ正方形状に形成され、その一辺部が帯状の巻付部３の中間部分における一側部（図３では上辺部）に折れ曲がり可能に連続して巻付部３と一体に形成されている。この場合、表示部４は、巻付部３に連続する部分の両側にくびれ部７が設けられていると共に、このくびれ部７間に位置する中間部分に舌片８がほぼ半円形状の切り込みによって巻付部３に少し食い込んだ状態で形成された構成になっている。すなわち、この舌片８は、巻付部３側が半円弧状に切り抜かれて自由端８ａに形成され、その反対側が表示部４に連続する連結端８ｂに形成され、この連結端８ｂにおいて表示部４に対し折れ曲がるように構成されている。また、この表示部４は、図１および図３に示すように、その前面における舌片８よりも上部側の全域が表示領域９に形成され、この表示領域９に商品名や価格などの情報が印刷などによって表示されるように構成されている。
【００１４】
次に、このような表示札１を品物である時計バンド２に取り付けて使用する場合について説明する。
この場合には、まず、図４に示すように、時計バンド２の上面に展開した状態の表示札１の巻付部３と表示部４とを配置する。このときには、図４に２点鎖線で示すように、帯状の巻付部３の両側が時計バンド２の側方に突出するので、この突出した巻付部３の両端を時計バンド２の下面側に向けて折り曲げて巻き込み、この巻き込まれた巻付部３の一端部の接着部６を巻付部３の他端部に接着する。これにより、図４および図５に示すように、表示札１が巻付部３によって時計バンド２に取り付けられる。この状態では表示部４が時計バンド２上にほぼ平行に配置される。
【００１５】
そして、図１および図２に示すように、表示部４を巻付部３との境界部分で折り曲げて巻付部３に対しほぼ垂直に起立させると共に、表示部４の舌片８をその連結端８ｂにおいて巻付部３から離れる方向（図２では右側）に向けて折り曲げる。このときには、舌片８の自由端８ａが巻付部３に少し食い込んでいるので、図２に示すように、舌片８が上下方向に少し折れ曲がるが、舌片８の自由端８ａを時計バンド２の上面に確実に当接させることができる。この場合には、表示部４が時計バンド２に対しほぼ垂直になるように、舌片８の折り曲げ角度を調節して舌片８の自由端８ａを時計バンド２の上面に当接させる。これにより、表示部４が舌片８で支持されて表示部４の傾きが規制されるので、表示部４が時計バンド２上に倒れたり傾いたりすることがなく、ほぼ垂直に起立した状態で配置される。
【００１６】
このように、この表示札１によれば、巻付部３を時計バンド２に巻き付けると共に、表示部４を巻付部３に対し折り曲げてほぼ垂直に起立させ、この状態で表示部４に切り込みによって形成された舌片８を巻付部３から離れる方向に折り曲げて、舌片８の自由端８ａを時計バンド２の上面に当接させることにより、表示部４を時計バンド２に対しほぼ垂直に起立させた状態で維持することができる。このため、表示部４を時計バンド２に対し起立させても、舌片８によって表示部４が勝手に元の平坦な状態に復帰しないように規制することができるので、簡単に且つ確実に表示部４を時計バンド２に対しほぼ垂直に起立させて見やすい状態に安定させて維持することができ、これにより表示部４の表示領域９に表示された商品名や価格などの情報を見やすくすることができる。また、素材としてアルミニウムなどの特殊な材料を用いる必要がなく、紙などの安価な素材を用いることができるので、材料費が安く、低コスト化を図ることができると共に、廃棄時の分別が簡単で資源の再利用が容易にできる。
【００１７】
［第２実施形態］
次に、図６〜図９を参照して、この発明の表示札の第２実施形態について説明する。なお、図１〜図５に示された第１実施形態と同一部分には同一符号を付して説明する。
この表示札１０は、表示部４に設けられた舌片８を含む表示部４の中間部分に、巻付部３の長手方向に沿って湾曲する湾曲部１１を、巻付部３の長手方向に対し直交する方向に帯状に連続させて設けた構造で、これ以外は第１実施形態と同じ構造になっている。すなわち、湾曲部１１は、図９に示すように、表示部４の表面側（同図では上面側）に向けて凸となる湾曲面に形成され、図８に示すように、表示部４の中間部分において巻付部３との境界部分（図８では表示部４の下端部）からこれと反対側の端部（同図では表示部４の上端部）に亘って舌片８を含む所定幅で帯状に連続して設けられている。
【００１８】
このような表示札１０によれば、第１実施形態と同様の作用効果があるほか、特に巻付部３を時計バンド２に巻き付けると共に、表示部４を時計バンド２に対し起立させ、この状態で舌片８を巻付部３から離れる方向に折り曲げ、この舌片８の自由端８ａを時計バンド２の上面に当接させた際に、表示部４に設けられた湾曲部１１によって舌片８が巻付部３の長手方向に沿って湾曲されているので、この湾曲部１１の湾曲によって舌片８が上下方向に折れ曲がりにくくなり、このため第１実施形態の表示札１よりも、より一層、安定した状態で表示部４を確実に起立させて維持することができる。この場合、表示部４の中間部分に湾曲部１１が図６において上下方向に沿って連続して形成されているので、この湾曲部１１によって表示部４全体も上下方向に曲がりにくくなり、これにより第１実施形態の表示札１よりも、より一層、安定した状態で確実に表示部４を時計バンド２に対しほぼ垂直に起立させることができる。
【００１９】
［第３実施形態］
次に、図１０〜図１５を参照して、この発明の表示札の第３実施形態について説明する。この場合にも、図１〜図５に示された第１実施形態と同一部分には同一符号を付して説明する。
この表示札１５は、２枚の紙材５、１６を貼り合わせて巻付部１７と表示部１８を形成した構造で、これ以外は第１実施形態とほぼ同じ構造になっている。すなわち、２枚の紙材５、１６のうち、表面側の第１の紙材５は、第１実施形態と同じ形状に形成されている。また、裏面側の第２の紙材１６は、第１実施形態の表示部４とこれに連続して対応する個所の巻付部３とに対応するほぼ長方形状に形成されている。
【００２０】
表示部１８は、第１の紙材５と第２の紙材１６とを重ね合わせた２枚重ねで構成され、その裏面側の第２の紙材１６に第１実施形態と同様に舌片８が切り込みよって形成され、この舌片８を除いて第１の紙材５と第２の紙材１６とが貼り合わされた構成になっている。この場合にも、舌片８は、巻付部１７側（図１２では下側）が自由端８ａに形成され、巻付部１７と反対側（同図では上側）が表示部１８の裏面側の第２紙材１６に連続する連結端８ｂに形成され、この連結端８ｂにおいて巻付部１７から離れる後方（図１１では右方）に向けて折れ曲がるように構成されている。
【００２１】
また、巻付部１７は、第１の紙材５の裏面における中間部分のみに第２の紙材１６が貼り合わされた構成になっている。すなわち、巻付部１７の第１の紙材５は、第１実施形態の巻付部３と同様、時計バンド２に巻き付く長さで帯状に形成され、その一端部に接着部６が設けられ、時計バンド２に巻き付けられて一端部の接着部６が他端部に接着することにより、時計バンド２に取り付けられるように構成されている。また、巻付部１７の第２の紙材１６は、図１３（ｂ）に示すように、巻付部１７の第１の紙材５の裏面における中間部分のみに表示部１８の幅で連続して貼り合わされ、これにより図１２に示すように表示部１８の下側に位置する舌片８の下端部が形成されるように構成されている。
【００２２】
このような表示札１５によれば、表示部１８が第１、第２の紙材５、１６を貼り合わせた構成で、表面側の第１の紙材５が第１実施形態と同じ形状に形成され、裏面側の第２の紙材１６のみに舌片８が切り込みによって形成された構成であるから、第１実施形態と同様、巻付部１７を時計バンド２に巻き付けて取り付けた状態で、表示部１８を折り曲げて時計バンド２に対しほぼ垂直に起立させると共に、舌片８を巻付部１７から離れる方向に折り曲げ、この舌片８の自由端８ａを時計バンド２に当接させることにより、安定した状態で表示部４を確実に起立させて維持することができる。
【００２３】
この場合には、特に裏面側の第２の紙材１６のみに舌片８を切り込みによって形成したので、表面側の第１の紙材５によって舌片８およびその切り込みが前面側から見えないように隠すことができ、これによりデザイン的に好ましいものを得ることができると共に、表面側の第１の紙材５の前面に舌片８が露呈しないため、表示部１８の前面およびこれに連続して対応する巻付部１７の一部、つまり第２の紙材１６が対応する第１の紙材５の表面全域（図１０および図１４に網かけ線で示した領域）を表示領域として使用することができ、これにより第１実施形態の表示札１よりも、表示領域を広くすることができるので、より多くの情報を表示することができる。
【００２４】
［第４実施形態］
次に、図１６〜図２０を参照して、この発明の表示札の第４実施形態について説明する。この場合にも、図１〜図５に示された第１実施形態と同一部分には同一符号を付して説明する。
この表示札２０は、紙材５と透明なシート材２１とを備え、これらによって巻付部２２と表示部２３とを形成すると共に、透明なシート材２１の縁部を紙材５の表面に貼り付けることにより、表示部２３にポケット部２４を形成した構成で、これ以外は第１実施形態とほぼ同じ構造になっている。この場合にも、紙材５は、第１実施形態と同じ形状に形成されている。また、透明なシート材２１は、第１実施形態の表示部４とこれに連続して対応する個所の巻付部３とに対応するほぼ長方形状に形成され、その縁部が紙材５の表面に一部を除いて、つまり図１８および図１９に白抜きで示したポケット部２４および後述する舌片８を除いて貼り付けられるように構成されている。
【００２５】
表示部２３は、紙材５の表面に透明なシート材２１を重ね合わせた状態で、透明なシート材２１の縁部のみを紙材５の表面にその上辺側を除いて貼り付けることにより、ポケット部２４が形成された構成になっている。このポケット部２４は、その上辺側が開放され、この開放された部分から商品名や価格などの情報を表示した表示カード２５が挿脱可能に差し込まれるように構成されている。また、透明なシート材２１の表面には、ポケット部２４を除いて、カラー印刷などにより装飾が施されている。この場合にも、表示部２３は、第１実施形態と同様、紙材５のみに舌片８が切り込みよってポケット部２４よりも巻付部２２側（図１８では下側）に形成され、この舌片８およびポケット部２４を除いて紙材５の前面に透明なシート材２１が貼り付けられた構成になっている。この舌片８も、巻付部２２側が自由端８ａに形成され、巻付部２２と反対側（同図では上側）が紙材５に連続する連結端８ｂに形成され、この連結端８ｂで巻付部２２から離れる後方（図１７では右方）に向けて折れ曲がるように構成されている。
【００２６】
巻付部２２は、紙材５の表面における中間部分のみに透明なシート材２１が貼り付けられた構成になっている。すなわち、巻付部２２の紙材５は、第１実施形態の巻付部３と同様、時計バンド２に巻き付く長さで帯状に形成され、その一端部に接着部６が設けられ、時計バンド２に巻き付けられて一端部の接着部６が他端部に接着することにより、時計バンド２に取り付けられるように構成されている。また、巻付部２２の透明なシート材２１は、巻付部２２に対応する紙材５の表面における中間部分のみに表示部２３の幅で連続して貼り付けられ、これにより表示部２３の下側に位置する舌片８の下端部が形成されるように構成されている。この場合にも、透明なシート材２１の表面には、カラー印刷などにより装飾が施され、これにより表示部２３の下側に位置する舌片８の下端部を装飾によって覆い隠すように構成されている。
【００２７】
このような表示札２０によれば、第１実施形態と同様、巻付部２２を時計バンド２に巻き付けて取り付けた状態で、表示部２３を時計バンド２に対しほぼ垂直に起立させると共に、舌片８を巻付部２２から離れる方向に折り曲げ、この折り曲げられた舌片８の自由端８ａを時計バンド２の上面に当接させることにより、安定した状態で表示部２３を確実に起立させて維持することができるほか、特に透明なシート材２１の縁部を紙材５の表面に一部を除いて貼り付けることにより、表示部２３に透明なポケット部２４を形成したので、図１６に示すように、ポケット部２４に価格などの情報が表示された表示カード２５を差し込むことができ、この差し込まれた表示カード２５に表示された情報をポケット部２４の透明なシート材２１を通して前面側から見ることができる。
【００２８】
この場合、ポケット部２４に表示カード２５を挿脱可能に差し込むことができるので、表示カード２５を簡単に交換することができ、これにより価格などの表示情報の変更が容易にでき、第１実施形態のものよりも、使い勝手の良いものを得ることができる。また、透明なシート材２１の表面には、ポケット部２４を除いて、カラー印刷などにより装飾が施されているので、この装飾によって紙材５の舌片８およびその切り込みが前面側から見えないように隠することができ、これにより、より一層、装飾的にもデザイン的にも好ましいものを得ることができる。
【００２９】
［第５実施形態］
次に、図２１〜図２４を参照して、この発明の表示札の第５実施形態について説明する。この場合にも、図１〜図５に示された第１実施形態と同一部分には同一符号を付して説明する。
この表示札２５は、品物である時計バンド２に巻き付けられる巻付部３と、この巻付部３に対しほぼ垂直に折り曲げられる表示部２６と、この表示部２６の左右両側に設けられた一対の舌片２７とを、紙材５に一体に形成した構成になっている。この場合、巻付部３は、第１実施形態と同様、時計バンド２に巻き付く長さで帯状に形成され、その一端部に接着部６が設けられ、図２１および図２２に示すように、時計バンド２に巻き付けられて一端部の接着部６が他端部に接着することにより、時計バンド２に取り付けられるように構成されている。
【００３０】
また、表示部２６は、図２３および図２４に示すように、時計バンド２の幅とほぼ同じ幅のほぼ正方形状に形成され、その一辺部が帯状の巻付部３の中間部分における一側部に折れ曲がり可能に連続して巻付部３と一体に形成されている。この場合、表示部２６は、その前面の全域が表示領域９に形成され、この表示領域９に商品名や価格などの情報が印刷などによって表示されるように構成されている。また、一対の舌片２７は、それぞれほぼ正方形状をなし、巻付部３に接近した状態で表示部２６の左右両側に折り曲げ可能に一体に形成され、表示部２６との境界部分で表示部２６の裏面側に向けて折れ曲がり、この折れ曲がった下端部が時計バンド２の上面にそれぞれ当接するように構成されている。
【００３１】
このような表示札２５は、第１実施形態と同様、巻付部３を時計バンド２に巻き付けて取り付け、この状態で表示部２６を時計バンド２に対し折り曲げてほぼ垂直に起立させた上、一対の舌片２７を表示部２６の裏面側に向けて折り曲げ、この折り曲げられた各舌片２７の下端部を時計バンド２の上面にそれぞれ当接させる。このときには、一対の舌片２７の折り曲げ角度を調節することにより、表示部２６を時計バンド２に対しほぼ垂直に起立させることができる。これにより、表示部２６が一対の舌片２７で支持されて表示部２６の傾きが規制されるので、表示部２６を時計バンド２上に倒れたり傾いたりすることがなく、ほぼ垂直に起立させた状態で維持することができる。
【００３２】
このため、この表示札２５においても、第１実施形態と同様、表示部２６を時計バンド２に対し起立させても、一対の舌片２７によって表示部２６が勝手に元の平坦な状態に復帰しないように規制することができるので、簡単に且つ確実に表示部２６を時計バンド２に対しほぼ垂直に起立させて見やすい状態に安定させて維持することができ、これにより表示部２６の表示領域９に表示された商品名や価格などの情報を見やすくすることができる。また、素材としてアルミニウムなどの特殊な材料を用いる必要がなく、紙などの安価な素材を用いることができるので、材料費が安く、低コストのものを得ることができると共に、廃棄時の分別が簡単で資源の再利用が容易にできる。
【００３３】
なお、上記第１〜第５実施形態では、品物として、時計バンド２に適用した場合について述べたが、これに限らず、ベルトや帯、紐などの帯状の品物、または筆記具などの棒状の品物、あるいは携帯電話機や電子辞書などのケース状の品物など、各種の品物に広く用いることができる。
【００３４】
【発明の効果】
以上説明したように、この発明によれば、品物に巻き付けられる巻付部と、この巻付部に対しほぼ垂直に折り曲げられた表示部とを一体に形成した表示札であって、表示部に巻付部側が自由端で且つその反対側が連結端となる舌片を切り込みによって形成し、この舌片を連結端において巻付部から離れる方向に折り曲げて自由端を品物に当接させるので、表示部を品物に対し折り曲げてほぼ垂直に起立させても、舌片によって表示部が元の平坦な状態に戻らないように規制することができ、このため簡単に且つ確実に表示部を品物に対し起立させて見やすい状態を安定して維持することができるほか、素材としてアルミニウムなどの特殊な材料を用いる必要がなく、紙などの安価な素材で容易に作成することができると共に、廃棄時の分別が簡単で資源の再利用が容易にできる。
【００３５】
この場合、表示部における舌片を含む領域に、少なくとも舌片を巻付部の長手方向に沿って湾曲させる湾曲部を形成したことにより、巻付部を品物に巻き付けると共に、表示部を品物に対し起立させて、舌片を巻付部から離れる方向に折り曲げ、この折り曲げられた舌片の自由端を品物に当接させた際に、湾曲部によって巻付部の長手方向に沿って湾曲した舌片が上下方向に折れ曲がりにくくなり、このため、上記のものよりも、より一層、安定した状態で表示部を確実に起立させた状態を維持することができる。
【００３６】
また、表示部が、２枚の紙材を貼り合わせると共に、これら２枚の紙材のうちの裏面側の紙材のみに舌片を切り込みによって折り曲げ可能に形成した構成であることにより、表面側の紙材によって舌片およびその切り込みが前面側から見えないように隠すことができ、これによりデザイン的に好ましいものを得ることができると共に、表面側の紙材の表面全域を表示領域として使用することができるので、表示領域を広くすることができ、より多くの情報を表示することができる。
【００３７】
さらに、表示部が、紙材と透明なシート材とからなり、この透明なシート材の縁部を紙材に一部を除いて貼り付けることによって形成されたポケット部と、紙材のみに切り込みによって折り曲げ可能に形成された舌片とを備えた構成であることにより、表示部に形成されたポケット部に価格表などの表示カードを挿脱自在に差し込むことができ、これにより表示カードを簡単に交換することできるので、価格や商品名などの情報の変更が容易にでき、より一層、使い勝手の良いものを得ることができる。
【図面の簡単な説明】
【図１】この発明の表示札の第１実施形態を示した使用時の斜視図。
【図２】図１の側面図。
【図３】図１の表示札の展開図。
【図４】図３の表示札の巻付部を時計バンドに巻き付けた状態を示した平面図。
【図５】図４の側面図。
【図６】この発明の表示札の第２実施形態を示した使用時の斜視図。
【図７】図６の側面図。
【図８】図６の表示札の展開図。
【図９】図８の表示札を下辺側から見た側面図。
【図１０】この発明の表示札の第３実施形態を示した使用時の斜視図。
【図１１】図１０の側面図。
【図１２】図１０の表示札の展開図。
【図１３】図１２の表示札の各側面を示し、（ａ）はその表示札を右辺側から見た側面図、（ｂ）はその表示札を下辺側から見た側面図。
【図１４】図１２の表示札の巻付部を時計バンドに巻き付けた状態を示した平面図。
【図１５】図１４の側面図。
【図１６】この発明の表示札の第４実施形態を示した使用時の斜視図。
【図１７】図１６の側面図。
【図１８】図１６の表示札の展開図。
【図１９】図１８の表示札の巻付部を時計バンドに巻き付けた状態を示した平面図。
【図２０】図１９の側面図。
【図２１】この発明の表示札の第５実施形態を示した使用時の斜視図。
【図２２】図２１の側面図。
【図２３】図２１の表示札の展開図。
【図２４】図２３の表示札の舌片を表示部の裏面側に折り曲げた状態を示し、（ａ）はその平面図、（ｂ）はその表示札を右辺側から見た側面図。
【符号の説明】
１、１０、１５、２０、２５  表示札
２  時計バンド
３、１７、２２  巻付部
４、１８、２３、２６  表示部
５、１６  紙材
８、２７  舌片
８ａ  自由端
８ｂ  連結端
９  表示領域
１１  湾曲部
２１  透明なシート材
２４  ポケット部
２５  表示カード
【図１】
2005017671.tif 000003
【図２】
2005017671.tif 000004
【図３】
2005017671.tif 000005
【図４】
2005017671.tif 000006
【図５】
2005017671.tif 000007
【図６】
2005017671.tif 000008
【図７】
2005017671.tif 000009
【図８】
2005017671.tif 000010
【図９】
2005017671.tif 000011
【図１０】
2005017671.tif 000012
【図１１】
2005017671.tif 000013
【図１２】
2005017671.tif 000014
【図１３】
2005017671.tif 000015
【図１４】
2005017671.tif 000016
【図１５】
2005017671.tif 000017
【図１６】
2005017671.tif 000018
【図１７】
2005017671.tif 000019
【図１８】
2005017671.tif 000020
【図１９】
2005017671.tif 000021
【図２０】
2005017671.tif 000022
【図２１】
2005017671.tif 000023
【図２２】
2005017671.tif 000024
【図２３】
2005017671.tif 000025
【図２４】
2005017671.tif 000026